【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
ワイヤレス通信装置を同期する方法であって、
発見時間期間の発見時間間隔の間に同期メッセージを送信するための、競合ベースのプロセスを開始すること、前記同期メッセージは、前記ワイヤレス通信装置のタイムスタンプを備える、と、
前記ワイヤレス通信装置のマスター優先値に基づいて、前記発見間隔の間に前記同期メッセージを選択的に送信すること、前記マスター優先値は、１つまたは複数の特性、能力、および特徴に基づいて前記ワイヤレス通信装置によって設定される、と
を備える、方法。
【請求項２】
前記マスター優先値は、アンカーフラグと、ホップインジケータと、優先インジケータを備える発見優先値とを備える、
請求項１に記載の方法。
【請求項３】
前記マスター優先値は、同期時間経過インジケータをさらに備える、
請求項２に記載の方法。
【請求項４】
前記ワイヤレス通信装置は、アンカーノードであるとき、前記アンカーフラグをアサートすることをさらに備える、
請求項２に記載の方法。
【請求項５】
前記ワイヤレス通信装置がアンカーノードであるとき、前記同期時間経過インジケータをすべて１に設定することと、前記ワイヤレス通信装置が非アンカー付きネットワーク中にあるとき、前記同期時間経過インジケータをすべて０に設定することと、それら以外の場合、０と、同期ノードの同期時間経過インジケータから前記同期ノードとの同期から経過した発見区間の数を引いたものとの大きい方に、前記同期時間経過インジケータを設定することと
をさらに備える、請求項３に記載の方法。
【請求項６】
前記ワイヤレス通信装置の１つまたは複数の特性に基づいて前記優先インジケータを設定することと、前記ワイヤレス通信装置がアンカーノードであるとき、またはアンカーノードからメッセージを受信しているとき、前記ホップインジケータをすべて１に設定することと、前記ワイヤレス通信装置が非アンカー付きネットワーク中にあるとき、前記ホップインジケータをすべて０に設定することと、それら以外の場合、０と最高の観測されるホップインジケータから１を引いたものとの大きい方に、前記ホップインジケータを設定することと
をさらに備える、請求項２に記載の方法。
【請求項７】
前記ワイヤレス通信装置において、タイムスタンプを各々備える１つまたは複数の受信される同期メッセージを受信すること、前記１つまたは複数の受信される同期メッセージは、１つまたは複数のマスター優先値と関連付けられる、と、
少なくとも１つの受信される同期メッセージが、前記ワイヤレス通信装置の前記マスター優先値以上のマスター優先値および前記ワイヤレス通信装置の発見優先値以上の発見優先値と関連付けられるとき、前記同期メッセージを送信するのを控えることと
をさらに備える、請求項１に記載の方法。
【請求項８】
前記装置が前記発見時間間隔の間に同期メッセージを送信しており、前記ワイヤレス通信装置の発見優先値より高い発見優先値と関連付けられる、または、前記ワイヤレス通信装置の前記発見優先値に等しい発見優先値および前記ワイヤレス通信装置の前記マスター優先値より高いマスター優先値と関連付けられる同期メッセージを受信していないとき、少なくとも１つの後続の送信時間の間に、前記マスター優先値を備える１つまたは複数の追加の同期メッセージを選択的に送信することをさらに備える、
請求項１に記載の方法。
【請求項９】
前記マスター優先値は、フレーム制御フィールド、ソースアドレスフィールド、宛先アドレスフィールド、近隣認識ネットワーク（ＮＡＮ）基本サービスセット識別情報（ＢＳＳＩＤ）フィールド、能力フィールド、および情報要素（ＩＥ）の１つまたは複数に含まれる、または、前記少なくとも１つの後続の送信時間は、ターゲットビーコン送信時間またはビーコン区間を備える、
請求項８に記載の方法。
【請求項１０】
複数の発見時間期間にわたって前記同期メッセージを準備するための頻度に対応する確率値に基づいて、前記同期メッセージを送信のために選択的に準備することをさらに備える、
請求項１に記載の方法。
【請求項１１】
ワイヤレスネットワーク中のデバイスの数、１つまたは複数のターゲット競合デバイス、および１つまたは複数の閾値の確率に基づいて、前記確率値を決定すること
をさらに備える、請求項１０に記載の方法。
【請求項１２】
前記ワイヤレス通信装置のマスター優先値以上のマスター優先値と関連付けられる同期メッセージを受信したことに応答して、前記同期メッセージの送信を取り消すことをさらに備える、
請求項１０に記載の方法。
【請求項１３】
前記ワイヤレス通信装置がマスター選定プロセスをサポートしないとき、前記ワイヤレス通信装置のマスター優先値を最小値に設定することをさらに備える、
請求項１に記載の方法。
【請求項１４】
ワイヤレス通信ネットワークにおいて同期するための装置であって、
発見時間期間の発見時間間隔の間に同期メッセージを送信するための、競合ベースのプロセスを開始するための手段、前記同期メッセージは、前記装置のタイムスタンプを備える、と、
前記装置のマスター優先値に基づいて、前記発見間隔の間に前記同期メッセージを選択的に送信するための手段、前記マスター優先値は、１つまたは複数の特性、能力、および特徴に基づいて前記ワイヤレス通信装置によって設定される、と
を備える、装置。
【請求項１５】
実行されると、少なくとも１つのコンピュータに、請求項１乃至１３のうちのいずれか１項に記載の方法を実行させる実行可能な命令を備える、コンピュータプログラム。
【手続補正２】
【補正対象書類名】明細書
【補正対象項目名】０２０１
【補正方法】変更
【補正の内容】
【０２０１】
[0220]同様に、動作は特定の順序で図面に示されているが、これは、望ましい結果を達成するために、そのような動作が、示される特定の順序でまたは順番に実行されること、あるいはすべての図示の動作が実行されることが必要であると理解されるべきでない。特定の状況では、マルチタスキングおよび並列処理が有利であり得る。その上、上で説明された実装形態の様々なシステムコンポーネントの分離は、すべての実装形態においてそのような分離を必要とするものとして理解されるべきではなく、説明されるプログラムコンポーネントおよびシステムは、一般に、単一のソフトウェア製品に一体化されてよく、または複数のソフトウェア製品にパッケージングされてよいことを理解されたい。加えて、他の実装形態も、以下の特許請求の範囲内に含まれる。いくつかの場合には、特許請求の範囲に記載される行為は、異なる順序でも実行されることがあり、それでも望ましい結果を達成し得る。
以下に、出願当初の特許請求の範囲に記載された発明を付記する。
［Ｃ１］
ワイヤレス通信装置を同期する方法であって、
発見時間期間の発見時間間隔の間に同期メッセージを送信するための、競合ベースのプロセスを開始すること、前記同期メッセージは、前記ワイヤレス通信装置の第１のタイムスタンプを備える、と、
前記ワイヤレス通信装置のマスター優先値に基づいて、前記発見間隔の間に前記同期メッセージを選択的に送信することと
を備える、方法。
［Ｃ２］
前記マスター優先値は、アンカーフラグと、ホップインジケータと、優先インジケータを備える発見優先値とを備える、
Ｃ１に記載の方法。
［Ｃ３］
前記マスター優先値は、同期時間経過インジケータをさらに備える、
Ｃ２に記載の方法。
［Ｃ４］
前記ワイヤレス通信装置は、アンカーノードであるとき、前記アンカーフラグをアサートすることをさらに備える、
Ｃ２に記載の方法。
［Ｃ５］
前記ワイヤレス通信装置がアンカーノードであるとき、前記同期時間経過インジケータをすべて１に設定することと、前記ワイヤレス通信装置が非アンカー付きネットワーク中にあるとき、前記同期時間経過インジケータをすべて０に設定することと、それら以外の場合、０と、同期ノードの同期時間経過インジケータから前記同期ノードとの同期から経過した発見区間の数を引いたものとの大きい方に、前記同期時間経過インジケータを設定することと
をさらに備える、Ｃ３に記載の方法。
［Ｃ６］
前記ワイヤレス通信装置の１つまたは複数の特性に基づいて前記優先インジケータを設定することと、前記ワイヤレス通信装置がアンカーノードであるとき、またはアンカーノードからメッセージを受信しているとき、前記ホップインジケータをすべて１に設定することと、前記ワイヤレス通信装置が非アンカー付きネットワーク中にあるとき、前記ホップインジケータをすべて０に設定することと、それら以外の場合、０と最高の観測されるホップインジケータから１を引いたものとの大きい方に、前記ホップインジケータを設定することと
をさらに備える、Ｃ２に記載の方法。
［Ｃ７］
前記ワイヤレス通信装置において、タイムスタンプを各々備える１つまたは複数の受信される同期メッセージを受信すること、前記１つまたは複数の受信される同期メッセージは、１つまたは複数のマスター優先値と関連付けられる、と、
少なくとも１つの受信される同期メッセージが、前記ワイヤレス通信装置の前記マスター優先値以上のマスター優先値および前記ワイヤレス通信装置の発見優先値以上の発見優先値と関連付けられるとき、前記同期メッセージを送信するのを控えることと
をさらに備える、Ｃ１に記載の方法。
［Ｃ８］
前記装置が前記発見時間間隔の間に同期メッセージを送信しており、前記ワイヤレス通信装置の発見優先値より高い発見優先値と関連付けられる、または、前記ワイヤレス通信装置の前記発見優先値に等しい発見優先値および前記ワイヤレス通信装置の前記マスター優先値より高いマスター優先値と関連付けられる同期メッセージを受信していないとき、少なくとも１つの後続の送信時間の間に、前記マスター優先値を備える１つまたは複数の追加の同期メッセージを選択的に送信することをさらに備える、
Ｃ１に記載の方法。
［Ｃ９］
前記マスター優先値は、フレーム制御フィールド、ソースアドレスフィールド、宛先アドレスフィールド、近隣認識ネットワーク（ＮＡＮ）基本サービスセット識別情報（ＢＳＳＩＤ）フィールド、能力フィールド、および情報要素（ＩＥ）の１つまたは複数に含まれる、
Ｃ８に記載の方法。
［Ｃ１０］
前記少なくとも１つの後続の送信時間は、ターゲットビーコン送信時間またはビーコン区間を備える、
Ｃ８に記載の方法。
［Ｃ１１］
複数の発見時間期間にわたって前記同期メッセージを準備するための頻度に対応する確率値に基づいて、前記同期メッセージを送信のために選択的に準備することをさらに備える、
Ｃ１に記載の方法。
［Ｃ１２］
ワイヤレスネットワーク中のデバイスの数、１つまたは複数のターゲット競合デバイス、および１つまたは複数の閾値の確率に基づいて、前記確率値を決定すること
をさらに備える、Ｃ１１に記載の方法。
［Ｃ１３］
前記ワイヤレス通信装置のマスター優先値以上のマスター優先値と関連付けられる同期メッセージを受信したことに応答して、前記同期メッセージの送信を取り消すことをさらに備える、
Ｃ１１に記載の方法。
［Ｃ１４］
前記ワイヤレス通信装置がマスター選定プロセスをサポートしないとき、前記ワイヤレス通信装置のマスター優先値を最小値に設定することをさらに備える、
Ｃ１に記載の方法。
［Ｃ１５］
ワイヤレスネットワークの同期のために構成されるワイヤレス通信装置であって、
発見時間期間の発見時間間隔の間に同期メッセージを送信するための、競合ベースのプロセスを開始するように構成されるプロセッサ、前記同期メッセージは、前記ワイヤレス通信装置の第１のタイムスタンプを備える、と、
前記ワイヤレス通信装置のマスター優先値に基づいて、前記発見間隔の間に前記同期メッセージを選択的に送信するように構成される送信機と
を備える、ワイヤレス通信装置。
［Ｃ１６］
前記マスター優先値は、アンカーフラグと、ホップインジケータと、優先インジケータとを備える、
Ｃ１５に記載の装置。
［Ｃ１７］
前記マスター優先値は、同期時間経過インジケータをさらに備える、
Ｃ１６に記載の装置。
［Ｃ１８］
前記プロセッサは、前記ワイヤレス通信装置がアンカーノードであるとき、前記アンカーフラグをアサートするようにさらに構成される、Ｃ１６に記載の装置。
［Ｃ１９］
前記プロセッサは、前記ワイヤレス通信装置がアンカーノードであるとき、前記同期時間経過インジケータをすべて１に設定し、前記ワイヤレス通信装置が非アンカー付きネットワーク中にあるとき、前記同期時間経過インジケータをすべて０に設定し、それら以外の場合、０と、同期ノードの同期時間経過インジケータから前記同期ノードとの同期から経過した発見区間の数を引いたものとの大きい方に、前記同期時間経過インジケータを設定するようにさらに構成される、
Ｃ１６に記載の装置。
［Ｃ２０］
前記プロセッサは、前記ワイヤレス通信装置の１つまたは複数の特性に基づいて前記優先インジケータを設定し、前記ワイヤレス通信装置がアンカーノードであるとき、またはアンカーノードからメッセージを受信しているとき、前記ホップインジケータをすべて１に設定し、前記ワイヤレス通信装置が非アンカー付きネットワーク中にあるとき、前記ホップインジケータをすべて０に設定し、それら以外の場合、０と最高の観測されるホップインジケータから１を引いたものとの大きい方に、前記ホップインジケータを設定するようにさらに構成される、
Ｃ１６に記載の装置。
［Ｃ２１］
１つまたは複数のマスター優先値と関連付けられる１つまたは複数の受信された同期メッセージを受信するように構成される受信機をさらに備え、前記送信機は、少なくとも１つの受信される同期メッセージが、前記ワイヤレス通信装置の前記マスター優先値以上のマスター優先値および前記ワイヤレス通信装置の発見優先値以上の発見優先値と関連付けられるとき、前記同期メッセージを送信するのを控えるように構成される、
Ｃ１５に記載の装置。
［Ｃ２２］
前記送信機は、前記装置が、前記発見時間間隔の間に同期メッセージを送信しており、前記ワイヤレス通信装置の発見優先値より高い発見優先値と関連付けられる、または、前記ワイヤレス通信装置の前記発見優先値に等しい発見優先値および前記ワイヤレス通信装置の前記マスター優先値より高いマスター優先値と関連付けられる同期メッセージを受信していないとき、少なくとも１つの後続の送信時間の間に、前記マスター優先値を備える１つまたは複数の追加の同期メッセージを送信するようにさらに構成される、
Ｃ１５に記載の装置。
［Ｃ２３］
前記マスター優先値は、フレーム制御フィールド、ソースアドレスフィールド、宛先アドレスフィールド、近隣認識ネットワーク（ＮＡＮ）基本サービスセット識別情報（ＢＳＳＩＤ）フィールド、能力フィールド、および情報要素（ＩＥ）の１つまたは複数に含まれる、
Ｃ２２に記載の装置。
［Ｃ２４］
前記少なくとも１つの後続の送信時間は、ターゲットビーコン送信時間またはビーコン区間を備える、
Ｃ２２に記載の装置。
［Ｃ２５］
複数の発見時間期間にわたって前記同期メッセージを準備するための頻度に対応する確率値に基づいて、前記同期メッセージを送信のために選択的に準備するように構成されるプロセッサをさらに備える、
Ｃ１５に記載の装置。
［Ｃ２６］
前記プロセッサは、ワイヤレスネットワーク中のデバイスの数、１つまたは複数のターゲット競合デバイス、および１つまたは複数の閾値の確率に基づいて、前記確率値を決定するようにさらに構成される、
Ｃ２５に記載の装置。
［Ｃ２７］
前記プロセッサは、前記ワイヤレス通信装置のマスター優先値以上のマスター優先値と関連付けられる同期メッセージを受信したことに応答して、前記同期メッセージの送信を取り消すように構成される、
Ｃ２５に記載の装置。
［Ｃ２８］
前記プロセッサは、前記ワイヤレス通信装置がマスター選定プロセスをサポートしないとき、前記ワイヤレス通信装置のマスター優先値を最小値に設定するようにさらに構成される、
Ｃ１５に記載の装置。
［Ｃ２９］
ワイヤレス通信ネットワークにおいて同期するための装置であって、
発見時間期間の発見時間間隔の間に同期メッセージを送信するための、競合ベースのプロセスを開始するための手段、前記同期メッセージは、前記装置の第１のタイムスタンプを備える、と、
前記装置のマスター優先値に基づいて、前記発見間隔の間に前記同期メッセージを選択的に送信するための手段と
を備える、装置。
［Ｃ３０］
前記マスター優先値は、アンカーフラグと、ホップインジケータと、優先インジケータとを備える、
Ｃ２９に記載の装置。
［Ｃ３１］
前記マスター優先値は、同期時間経過インジケータをさらに備える、
Ｃ３０に記載の装置。
［Ｃ３２］
前記装置がアンカーノードであるとき、前記アンカーフラグをアサートするための手段をさらに備える、
Ｃ３０に記載の装置。
［Ｃ３３］
前記ワイヤレス通信装置が非アンカー付きネットワーク中にあるとき、前記同期時間経過インジケータをすべて０に設定し、それ以外の場合、０と、同期ノードの同期時間経過インジケータから前記同期ノードとの同期から経過した発見区間の数を引いたものとの大きい方に、前記同期時間経過インジケータを設定するための手段をさらに備える、
Ｃ３１に記載の装置。
［Ｃ３４］
前記装置の１つまたは複数の特性に基づいて前記優先インジケータを設定し、前記装置がアンカーノードであるとき、またはアンカーノードからメッセージを受信しているとき、前記ホップインジケータをすべて１に設定し、前記装置が非アンカー付きネットワーク中にあるとき、前記ホップインジケータをすべて０に設定し、それら以外の場合、０と最高の観測されるホップインジケータから１を引いたものとの大きい方に、前記ホップインジケータを設定するための手段をさらに備える、
Ｃ３０に記載の装置。
［Ｃ３５］
前記装置において、１つまたは複数のマスター優先値と関連付けられる１つまたは複数の受信される同期メッセージを受信するための手段と、
少なくとも１つの受信される同期メッセージが、前記ワイヤレス通信装置の前記マスター優先値以上のマスター優先値および前記ワイヤレス通信装置の発見優先値以上の発見優先値と関連付けられるとき、前記同期メッセージを送信するのを控えるための手段と
をさらに備える、Ｃ２９に記載の装置。
［Ｃ３６］
前記装置が前記発見時間間隔の間に同期メッセージを送信しており、前記ワイヤレス通信装置の発見優先値より高い発見優先値と関連付けられる、または、前記ワイヤレス通信装置の前記発見優先値に等しい発見優先値および前記ワイヤレス通信装置の前記マスター優先値より高いマスター優先値と関連付けられる同期メッセージを受信していないとき、少なくとも１つの後続の送信時間の間に、前記マスター優先値を備える１つまたは複数の追加の同期メッセージを選択的に送信するための手段をさらに備える、
Ｃ２９に記載の装置。
［Ｃ３７］
前記マスター優先値が、フレーム制御フィールド、ソースアドレスフィールド、宛先アドレスフィールド、近隣認識ネットワーク（ＮＡＮ）基本サービスセット識別情報（ＢＳＳＩＤ）フィールド、能力フィールド、および情報要素（ＩＥ）の１つまたは複数に含まれる、
Ｃ３６に記載の装置。
［Ｃ３８］
前記少なくとも１つの後続の送信時間は、ターゲットビーコン送信時間またはビーコン区間を備える、
Ｃ３６に記載の装置。
［Ｃ３９］
複数の発見時間期間にわたって前記同期メッセージを準備するための頻度に対応する確率値に基づいて、前記同期メッセージを送信のために選択的に準備するための手段をさらに備える、
Ｃ２９に記載の装置。
［Ｃ４０］
ワイヤレスネットワーク中のデバイスの数、１つまたは複数のターゲット競合デバイス、および１つまたは複数の閾値の確率に基づいて、前記確率値を決定するための手段をさらに備える、
Ｃ３９に記載の装置。
［Ｃ４１］
前記装置のマスター優先値以上のマスター優先値と関連付けられる同期メッセージを受信したことに応答して、前記同期メッセージの送信を取り消すための手段をさらに備える、
Ｃ３９に記載の装置。
［Ｃ４２］
前記装置がマスター選定プロセスをサポートしないとき、前記装置のマスター優先値を最小値に設定するための手段をさらに備える、
Ｃ２９に記載の装置。
［Ｃ４３］
実行されると、ワイヤレス通信装置に、
発見時間期間の発見時間間隔の間に同期メッセージを送信するための、競合ベースのプロセスを開始すること、前記同期メッセージは、前記ワイヤレス通信装置の第１のタイムスタンプを備える、と、
前記ワイヤレス通信装置のマスター優先値に基づいて、前記発見間隔の間に前記同期メッセージを選択的に送信することと
を行わせるコードを備える、非一時的コンピュータ可読媒体。
［Ｃ４４］
前記マスター優先値は、アンカーフラグと、ホップインジケータと、優先インジケータとを備える、
Ｃ４３に記載の媒体。
［Ｃ４５］
前記マスター優先値は、同期時間経過インジケータを備える、
Ｃ４４に記載の媒体。
［Ｃ４６］
実行されると、前記ワイヤレス通信装置に、前記媒体がアンカーノードであるときに前記アンカーフラグをアサートすることを行わせるコードをさらに備える、
Ｃ４４に記載の媒体。
［Ｃ４７］
実行されると、前記ワイヤレス通信装置に、前記ワイヤレス通信装置が非アンカー付きネットワーク中にあるとき、前記同期時間経過インジケータをすべて０へ設定させ、それ以外の場合、０と、同期ノードの同期時間経過インジケータから前記同期ノードとの同期から経過した発見区間の数を引いたものとの大きい方へ、前記同期時間経過インジケータを設定することを行わせるコードをさらに備える、
Ｃ４４に記載の媒体。
［Ｃ４８］
実行されると、前記ワイヤレス通信装置に、前記媒体の１つまたは複数の特性に基づいて前記優先インジケータを設定させ、前記媒体がアンカーノードであるとき、またはアンカーノードからメッセージを受信しているとき、前記ホップインジケータをすべて１へ設定させ、前記媒体が非アンカー付きネットワーク中にあるとき、前記ホップインジケータをすべて０へ設定させ、それら以外の場合、０と最高の観測されるホップインジケータから１を引いたものとの大きい方へ、前記ホップインジケータを設定することを行わせるコードをさらに備える、
Ｃ４４に記載の媒体。
［Ｃ４９］
実行されると、前記装置に、
前記ワイヤレス通信装置において、１つまたは複数のマスター優先値と関連付けられる１つまたは複数の受信される同期メッセージを受信することと、
少なくとも１つの受信される同期メッセージが、前記ワイヤレス通信装置の前記マスター優先値以上のマスター優先値および前記ワイヤレス通信装置の発見優先値以上の発見優先値と関連付けられるとき、前記同期メッセージを送信するのを控えることと
を行わせるコードをさらに備える、Ｃ４３に記載の媒体。
［Ｃ５０］
実行されると、前記装置に、前記装置が前記発見時間間隔の間に同期メッセージを送信しており、前記ワイヤレス通信装置の発見優先値より高い発見優先値と関連付けられる、または、前記ワイヤレス通信装置の前記発見優先値に等しい発見優先値および前記ワイヤレス通信装置の前記マスター優先値より高いマスター優先値と関連付けられる同期メッセージを受信していないとき、少なくとも１つの後続の送信時間の間に、前記マスター優先値を備える１つまたは複数の追加の同期メッセージを選択的に送信することを行わせるコードをさらに備える、
Ｃ４３に記載の媒体。
［Ｃ５１］
前記マスター優先値は、フレーム制御フィールド、ソースアドレスフィールド、宛先アドレスフィールド、近隣認識ネットワーク（ＮＡＮ）基本サービスセット識別情報（ＢＳＳＩＤ）フィールド、能力フィールド、および情報要素（ＩＥ）の１つまたは複数に含まれる、
Ｃ５０に記載の媒体。
［Ｃ５２］
前記少なくとも１つの後続の送信時間は、ターゲットビーコン送信時間またはビーコン区間を備える、
Ｃ５０に記載の媒体。
［Ｃ５３］
実行されると、前記装置に、複数の発見時間期間にわたって前記同期メッセージを準備するための頻度に対応する確率値に基づいて、前記同期メッセージを送信のために選択的に準備することを行わせるコードをさらに備える、
Ｃ４３に記載の媒体。
［Ｃ５４］
実行されると、前記装置に、ワイヤレスネットワーク中のデバイスの数、１つまたは複数のターゲット競合デバイス、および１つまたは複数の閾値の確率に基づいて、前記確率値を決定することを行わせるコードをさらに備える、
Ｃ５３に記載の媒体。
［Ｃ５５］
実行されると、前記装置に、前記ワイヤレス通信装置のマスター優先値以上のマスター優先値と関連付けられる同期メッセージを受信したことに応答して、前記同期メッセージの送信を取り消すことをさらに行わせるコードをさらに備える、
Ｃ５３に記載の媒体。
［Ｃ５６］
実行されると、前記装置に、前記ワイヤレス通信装置がマスター選定プロセスをサポートしないとき、前記ワイヤレス通信装置のマスター優先値を最小値へ設定することを行わせるコードをさらに備える、
Ｃ４３に記載の媒体。